(57)【要約】【課題】  アンテナを任意の角度に固定することができ、しかも一旦角度を固定したら、一定の角度範囲内でアンテナを保持することが可能で、かつアンテナに外力が加わった場合はその固定を解除してアンテナおよび固定部品が破損するのを防止することが可能なアンテナ角度可変保持構造の提供。【解決手段】  アンテナ角度可変保持構造は、アンテナ１０１と、アンテナが挿入される筒状部１０２と、筒状部が取り付けられる筐体１０３とを含み、筒状部には爪部１０４が、筐体には爪部を係止させる穴部を複数個有する引掛け部２４がそれぞれ設けられ、アンテナと筒状部との隙間は所定値以下に設定され、かつ爪部の腕部は撓み易い長さに設定され、さらに、筐体に筒状部を任意の角度で保持させるために筐体の穴部は筒状部の角度に対応して複数個設けられる。【選択図】      図１
2012060337.tif 000002
【特許請求の範囲】
【請求項１】
アンテナと、
前記アンテナが挿入される筒状部と、
前記筒状部が取り付けられる筐体とを含み、
前記筒状部には爪部が、前記筐体には前記爪部を係止させる穴部を複数個有する引掛け部がそれぞれ設けられ、
前記アンテナと前記筒状部との隙間は所定値以下に設定され、かつ前記爪部の腕部は撓み易い長さに設定され、
さらに、前記筐体に前記筒状部を任意の角度で保持させるために前記筐体の穴部は前記筒状部の角度に対応して複数個設けられることを特徴とするアンテナ角度可変保持構造。
【請求項２】
前記アンテナはＬ字状の形状をなし、前記アンテナの折り曲げ部が前記筒状部に保持されることを特徴とする請求項１記載のアンテナ角度可変保持構造。
【請求項３】
前記筐体は箱状をなし、その上面部に前記アンテナおよび筒状部が設けられることを特徴とする請求項１または２記載のアンテナ角度可変保持構造。
【請求項４】
前記筐体の上面部は高さが異なる２段の平面で構成され、高さの低い方の平面に前記アンテナおよび筒状部が設けられることを特徴とする請求項３記載のアンテナ角度可変保持構造。
【請求項５】
前記筐体は箱状をなし、その側面部に前記アンテナおよび筒状部が設けられることを特徴とする請求項１または２記載のアンテナ角度可変保持構造。
【請求項６】
アンテナと、
前記アンテナが挿入される筒状部と、
前記筒状部が取り付けられる筐体とを含み、
前記筒状部には爪部が、前記筐体には前記爪部を係止させる穴部を有する引掛け部がそれぞれ設けられ、
前記アンテナと前記筒状部との隙間は所定値以下に設定され、かつ前記爪部の腕部は撓み易い長さに設定され、
さらに、前記筐体に前記筒状部を任意の角度で保持させるために前記筐体の穴部は多角形状に形成されることを特徴とするアンテナ角度可変保持構造。
【発明の詳細な説明】
【技術分野】
【０００１】
本発明は、アンテナ角度可変保持構造に関し、特にＳＭＡ（Sub Miniature type A）型等のネジ固定式アンテナの保持構造に関する。
【背景技術】
【０００２】
アンテナを有する無線通信装置において、無線特性を最大限確保し、維持することが、仕様上重要な項目の一つである。外部アンテナを有する無線通信端末装置（子機）であれば、外部アンテナの放射特性が最大になるよう搭載角度を装置設置現場で調整でき、かつ、その角度を保持できることが必要である。外部アンテナを有する無線通信基地局装置（親機）であれば、無線通信端末装置（子機）側との相対角度が変化しないよう、アンテナ搭載角度を常に一定に保持し続ける構造が必要である。
【０００３】
アンテナの種類としては、Ｌ字状に角度が固定されたアングルタイプ、Ｌ字状に折り曲げられる可倒タイプ、装置に垂直に固定する垂直固定型等幅広く存在するが、何れの汎用性のあるアンテナもアンテナの搭載角度を装置設置現場で調整でき、かつ、一定に保持するという構造は併せ持ってはいない。アングルタイプや可倒タイプのアンテナの場合は、装置設置現場でのアンテナ搭載角度の調整はできるが、外力により容易にアンテナの搭載角度が変わってしまう可能性が高い。
【０００４】
特に、ＳＭＡ型アンテナにおいては、固定構造がネジ固定のため、外力によるネジ緩みの危険性も高く、アンテナ角度保持やアンテナ脱落防止といった課題解決が必要不可欠である。
【０００５】
垂直固定型アンテナにおいては、そもそも通常はカスタム品が多く、アンテナが比較的高価となるため、比較的安価な汎用の可倒タイプのアンテナを安価な方法で垂直に固定できることが望ましいという実態がある。
【０００６】
図９は本発明に関連するアンテナ保持構造の一例の組み立て図、図１０はそのアンテナ保持構造の一例の完成図、図１１は同アンテナを有する装置の一例の斜視図である。図９〜図１１はＳＭＡ型の可倒タイプの無線アンテナを有する装置の一例を示している。
【０００７】
図９および図１０に示すように、一般に、ＳＭＡ型の無線アンテナは、取り付け金具３にアンテナコネクタ１が有するネジ部２を、ワッシャー４とナット５で固定し、取り付け金具３から突き出るネジ部２に、アンテナ本体７が有するナット部６を締め付けて固定している。アンテナ本体７とナット部６の回転は独立しており、ナット部６を強く締めても、アンテナ本体７の角度は固定されない構造となっている。そのため、図１１に示すように、装置８にアンテナ９を固定した後でも、アンテナ９は回転方向１０に自由に回転でき、折り曲げ方向１１にも倒すことができる。
【０００８】
一方、本発明に関連するアンテナ保持構造の他の一例として、無線機に設けた固定部材（ハウジング）にアンテナを装着することにより、アンテナを固定させる技術が開示されている（たとえば、特許文献１参照）。
【０００９】
さらに、本発明に関連するアンテナ保持構造の他の一例として、筒状のＧＰＳアンテナの下部に設けた爪部を筐体の上部に設けた爪受部に係合させてＧＰＳアンテナの位置決めを行い、かつ携帯無線用アンテナの基部（ホルダー部）をＧＰＳアンテナに挿入して携帯無線用アンテナを固定する技術が開示されている（たとえば、特許文献２参照）。
【００１０】
さらに、本発明に関連するアンテナ保持構造の他の一例として、パラボラアンテナを、受座を介して支持受座に取り付ける際に、支持受座に設けた長穴を介してねじで支持受座を受座に固定する技術が開示されている（たとえば、特許文献３参照）。この技術によれば、ねじを緩めることにより受座、すなわち受座に固定されたパラボラアンテナの仰角の調整が可能となる。
【先行技術文献】
【特許文献】
【００１１】
【特許文献１】特開２００４−２５３８４１号公報
【特許文献２】特開２００３−２０４２１５号公報
【特許文献３】実開昭６３−０８５９０９号公報
【発明の概要】
【発明が解決しようとする課題】
【００１２】
しかし、図９〜図１１に記載の関連発明では、基地局装置のアンテナ、あるいは、装置設置現場にて角度を調整した無線通信端末のアンテナにおいては、アンテナの角度が変わることにより、放射特性もずれてしまい、無線通信特性の最大値が低下してしまう。アンテナの傾きが大きくなるほど、安定した送受信ができなくなり、通信不能となるおそれがある。
【００１３】
一方、外部にアンテナを有する無線通信端末装置および基地局装置においては、装置の設置現場にて無線特性が最適となるようアンテナの搭載角度を調整する必要がある。しかし、アンテナの角度調整後にその角度で堅個に固定できないため、振動や外部からの衝撃あるいは作業者の接触等により、アンテナの搭載角度が大きく変わってしまうことがある。
【００１４】
あるいは、角度調整ができないアンテナにおいては、外部からの衝撃あるいは作業者の接触等により、アンテナが破損することがある。アンテナの角度が傾くとアンテナの放射特性も連動して傾き、送受信面における放射特性が劣化する。そのため、所定の位置からアンテナが傾くことにより、アンテナが送受信できる範囲は狭くなり、装置の無線機能が大きく損なわれてしまう。
【００１５】
特に、基地局装置の場合、アンテナの搭載角度が変わってしまうと、そこにアクセスする多くの子機の通信が不安定あるいは不能となってしまい、システム上大きな損害を発生させるおそれがある。また、ＳＭＡ型のアンテナにおいては、ネジで固定する構造のため、振動や衝撃等によるネジ緩みの発生により、端子が離れて無線特性が劣化したり、アンテナが脱落するおそれがある。
【００１６】
また、特許文献１に記載の発明は、アンテナを固定部材に装着する点で、本発明と共通するものの、固定部材の「爪部」に関する記載がなく、さらに、アンテナは固定部材（ハウジング）と特殊ネジで固定されており、特殊ネジを使用しないでアンテナを固定する本発明とは構成が全く異なる。よって、特許文献１に記載の発明によって本発明と同様の効果を奏することはできない。
【００１７】
また、特許文献２に記載の発明では、ＧＰＳアンテナの爪部は撓む構造を有していないため、この文献に記載の発明もまた本発明と同様の効果を奏することはできない。
【００１８】
また、特許文献３に記載の発明では、ねじと長穴の組み合わせで角度調整をおこなっているが、本発明のような爪と、アンテナの角度に対応させた複数の穴との組み合わせとは全く構成が異なる。したがって、この文献に記載の発明もまた本発明と同様の効果を奏することはできない。
【００１９】
そこで本発明の目的は、アンテナを任意の角度に固定することができ、しかも一旦角度を固定したら、一定の角度範囲内でアンテナを保持することが可能で、かつアンテナに外力が加わった場合はその固定を解除してアンテナおよび固定部品が破損するのを防止することが可能なアンテナ角度可変保持構造を提供することにある。
【課題を解決するための手段】
【００２０】
前記課題を解決するために、本発明によるアンテナ角度可変保持構造は、アンテナと、前記アンテナが挿入される筒状部と、前記筒状部が取り付けられる筐体とを含み、前記筒状部には爪部が、前記筐体には前記爪部を係止させる穴部を複数個有する引掛け部がそれぞれ設けられ、前記アンテナと前記筒状部との隙間は所定値以下に設定され、かつ前記爪部の腕部は撓み易い長さに設定され、さらに、前記筐体に前記筒状部を任意の角度で保持させるために前記筐体の穴部は前記筒状部の角度に対応して複数個設けられることを特徴とする。
【００２１】
また、本発明による他のアンテナ角度可変保持構造は、アンテナと、前記アンテナが挿入される筒状部と、前記筒状部が取り付けられる筐体とを含み、前記筒状部には爪部が、前記筐体には前記爪部を係止させる穴部を有する引掛け部がそれぞれ設けられ、前記アンテナと前記筒状部との隙間は所定値以下に設定され、かつ前記爪部の腕部は撓み易い長さに設定され、さらに、前記筐体に前記筒状部を任意の角度で保持させるために前記筐体の穴部は多角形状に形成されることを特徴とする。
【発明の効果】
【００２２】
本発明によれば、アンテナを任意の角度に固定することができ、しかも一旦角度を固定したら、一定の角度範囲内でアンテナを保持することが可能で、かつアンテナに外力が加わった場合はその固定を解除してアンテナおよび固定部品が破損するのを防止することが可能となる。
【図面の簡単な説明】
【００２３】
【図１】本発明に係るアンテナ角度可変保持構造の動作原理を示す模式図である。
【図２】アンテナを傾けて固定する一例の斜視図である。
【図３】本発明に係るアンテナ角度可変保持構造の第１実施形態の組み立て図である。
【図４】本発明に係るアンテナ保持構造の第１実施形態の完成図である。
【図５】アンテナを傾けて固定する場合の一例の断面図である。
【図６】第１実施形態の効果を示す模式図である。
【図７】本発明に係るアンテナ角度可変保持構造の第２実施形態の組み立て図である。
【図８】本発明に係るアンテナ角度可変保持構造の第２実施形態の完成図である。
【図９】本発明に関連するアンテナ保持構造の一例の組み立て図である。
【図１０】そのアンテナ保持構造の一例の完成図である。
【図１１】同アンテナを有する装置の一例の斜視図である。
【発明を実施するための形態】
【００２４】
まず、実施の形態の説明に入る前に、本発明の特徴および動作原理について説明する。本発明の特徴は、汎用性のあるアンテナ、すなわち角度調整の自由度があるアンテナにおいて、任意の位置に角度を固定でき、一旦角度を固定したら、筒状の部分で一定の角度範囲内にアンテナを保持すると共に、装置本体への爪固定でアンテナの位置が不変となることを特徴とするアンテナの角度可変保持構造である。
【００２５】
さらに、本発明の特徴は、アンテナに想定外の外力が加わっても固定構造が容易に外れるため何れの部品も壊れず、かつ再びアンテナを固定しなおすことができるところにある。
【００２６】
次に、本発明の動作原理について説明する。図１は本発明に係るアンテナ角度可変保持構造の動作原理を示す模式図である。同図を参照すると、本発明に係るアンテナ角度可変保持構造は、アンテナ１０１と、アンテナ１０１が挿入される筒状部（固定部品）１０２と、筒状部１０２が取り付けられる筐体１０３とを含み、筒状部１０２には複数の爪部  （引掛け固定構造）１０４が、筐体１０３には爪部１０４を係止させる穴部を複数個有する引掛け部２４がそれぞれ設けられる。そして、アンテナ１０１と筒状部１０２との隙間は所定値以下に設定され、かつ爪部１０４の腕部１０６は撓み易い長さに設定される。
【００２７】
すなわち、アンテナ１０１の外形より一回り大きい筒状部１０２と、装置筐体１０３の引掛け部２４に形成される穴部に引掛け固定できる爪部１０４とによりアンテナ１０１を筐体１０３に固定する。これにより、アンテナ１０１が折れ曲げ方向あるいは回転方向に回転しても、アンテナ１０１は筒状部１０２の内壁に当接して止まり、一定範囲以上の角度には倒れなくなるため、比較的安価な角度調整の自由度がある汎用アンテナでも指定の角度に固定することが可能となる。
【００２８】
さらに、筐体１０３の引掛け部２４は、筒状部１０２の角度に応じて筒状部１０２の爪部１０４を係止させるための複数の穴部を有するため、所望の穴部を選択することにより、筒状部１０２の角度、すなわちアンテナ１０１の角度を所望の角度に固定することが可能となる。
【００２９】
図２はアンテナを傾けて固定する一例の斜視図であり、図２（Ａ）はアンテナを時計方向に傾斜させて固定する一例を示し、図２（Ｂ）はアンテナを反時計方向に傾斜させて固定する一例を示す。
【００３０】
さらに、アンテナ１０１の外形と筒状部１０２の内径との間隔を比較的狭く保つことで、アンテナ１０１の角度を比較的狭い範囲内に保持することができる。また、ＳＭＡ型のようなネジによる固定方法を持つアンテナにおいては、筐体１０３に引掛け固定する爪部１０４の位置が動かないように、爪部１０４と筐体１０３の引掛け部２４の穴部との間隔を比較的狭くしておくことで、アンテナ１０１の固定ネジの緩みが発生しても、筒状部１０２の位置がずれない限りは、アンテナ１０１の位置が保持されるため、アンテナ１０１の脱落も防止することができる。
【００３１】
さらに、爪部１０４の腕部１０６を撓み易い長さに設定することにより、アンテナ１０１に外力が加わった場合は爪部１０４が筐体１０３の引掛け部２４の穴部から容易に外れるため、アンテナおよび固定部品が破損するのを防止することが可能となる。
【００３２】
以下、本発明の実施の形態について添付図面を参照しながら説明する。まず、本発明の第１実施形態について説明する。図３は本発明に係るアンテナ角度可変保持構造の第１実施形態の組み立て図である。同図では、装置外部にＳＭＡ型の可倒タイプの無線アンテナを搭載する装置の構成例について説明する。
【００３３】
同図を参照すると、本発明に係るアンテナ保持構造は、アンテナコネクタ１２と、取り付け金具１３と、ワッシャー１４と、ナット１５と、アンテナ本体１６と、ナット部１７と、下部筐体１８と、上部筐体１９と、軸２０と、固定部品（筒状部）２１と、爪２２と、リブ２３と、引掛け部２４とを含んで構成される。
【００３４】
固定部品（筒状部）２１の下部にリブ２３および爪２２で構成される爪部３１が設けられる。また、下部筐体１８に固定部品（筒状部）２１の爪部３１を任意の角度で係止させるための複数の穴部を有する引掛け部２４が設けられる。
【００３５】
ＳＭＡ型のアンテナコネクタ１２は、取り付け金具１３にワッシャー１４と、ナット１５で固定され、ナット１５を貫通したアンテナコネクタ１２の先端ネジ部とアンテナ本体１６のナット部１７とを締め付けて固定される。アンテナコネクタ１２およびアンテナ本体１６を固定した取り付け金具１３は下部筐体１８に固定される。
【００３６】
下部筐体１８に上部筐体１９を被せて固定する。アンテナ本体１６は軸２０でＬ字状に折り曲げた形状をなし、アンテナ本体１６の先端部から固定部品（筒状部）２１の筒形状部を通して、固定部品（筒状部）２１の爪部３１を下部筐体１８の引掛け部２４の穴部に挿入する。
【００３７】
図４は本発明に係るアンテナ保持構造の第１実施形態の完成図である。同図（Ａ）は同アンテナ保持構造の斜視図、同図（Ｂ）は爪部３１と引掛け部２４の穴部付近の断面図である。
【００３８】
同図（Ａ）を参照すると、下部筐体１８に上部筐体１９を被せて筐体本体が構成されている。下部筐体１８が四角い箱体であるのに対し、上部筐体１９はＬ字状の箱体であり、よって下部筐体１８に上部筐体１９を被せると下部筐体１８の上面の一部１８ａが露出する。この上面の一部１８ａに引掛け部２４が形成され、固定部品（筒状部）２１の爪部３１がこの引掛け部２４の穴部に挿入される。
【００３９】
すなわち、同図（Ｂ）に示すように、固定部品（筒状部）２１は爪２２とリブ２３とで下部筐体１８の引掛け部２４を挟み込んで固定される。同図（Ｂ）では爪２２とリブ２３とで下部筐体１８の引掛け部２４ａを挟み込んで固定される一例を示している。
【００４０】
また、アンテナ本体１６の基部は、上部筐体１９の側面に設けた穴部１９ａを介して筐体本体の内部に固定される。
【００４１】
図５はアンテナを傾けて固定する場合の一例の断面図である。同図（Ａ）はアンテナを反時計方向に傾斜させて固定部品（筒状部）２１の爪２２とリブ２３とで下部筐体１８の引掛け部２４ｂを挟み込んで固定する場合の一例を示している。また、同図（Ｂ）はアンテナを時計方向に傾斜させて固定部品（筒状部）２１の爪２２とリブ２３とで下部筐体１８の引掛け部２４ｃを挟み込んで固定する場合の一例を示している。
【００４２】
図４（Ｂ）を参照すると、固定部品（筒状部）２１の爪２２とリブ２３が形成されている部分（腕部１０６）は、アンテナ本体１６に想定外の外力が加わった場合に撓み易い長さに設定されている。
【００４３】
次に、第１実施形態の動作について説明する。図１１で示したように、アンテナ９の角度はアンテナ９の折れ曲がり方向１１と回転方向１０の２方向がある。すなわち、図４（Ａ）、（Ｂ）を参照すると、どちらの方向に対しても、アンテナ１６が回転すればアンテナ１６の外形は固定部品（筒状部）２１の筒部内部に当接し、それ以上の角度には倒れなくなる。
【００４４】
たとえば、アンテナ１６の軸２０から折り曲げた先１５ｍｍほどの箇所において、アンテナ１６の外形と固定部品（筒状部）２１の筒部内壁とを０．２５ｍｍほどの隙間を持って保持することにより、アンテナ１６の角度の誤差は±１度以下に保持することが可能である。このアンテナ１６の角度の誤差±１度以下の状態は、装置におけるアンテナの無線特性には全く影響がないレベルであり、これにより安定した無線通信が可能となる。
【００４５】
また、固定部品（筒状部）２１の爪２２とリブ２３とで挟み込む下部筐体１８の引掛け部２４を、引掛け部２４ｂまたは引掛け部２４ｃに変更すれば、アンテナ本体１６の搭載角度を変更することができる（図５（Ａ）および（Ｂ）参照）。これにより、装置におけるアンテナの無線特性を最適な角度に調整し、かつ、一定範囲内に保持することが可能となり、安定した無線通信を維持することができる。
【００４６】
また、アンテナ１６に想定外の強い外力が加わった場合については、固定部品（筒状部）２１の爪２２が許容できる以上の力になった時点で爪２２が穴（引掛け部２４の穴部）から外れるだけであり、何れの部品も破損することはない。この場合、固定部品（筒状部）２１が外れたことにより、アンテナ１６に外力が加わったことおよびアンテナ１６の角度が変わってしまったことが視覚的にも分かる。そのため、作業者への注意を促すことにも繋がり、また外れた固定部品（筒状部）２１を再び固定することでアンテナ１６の角度を再び保持することができる。
【００４７】
また、ＳＭＡ型のアンテナ１６は振動等でナット部１７に緩みが発生する場合があり、その緩みに伴い、アンテナ１６が抜ける方向に移動し、最終的にはアンテナ１６の端子接続が外れ、最悪の場合アンテナ１６が脱落してしまうこともある。
【００４８】
これに対して、固定部品（筒状部）２１の爪２２と下部筐体１８の引掛け部２４とのアンテナ本体１６が抜ける方向の隙間をナット部１７のネジピッチ以下に抑えておけば、ナット部１７の緩みが発生しても、ナット部１７は１周以上回ることがなくなり、アンテナ１６の端子接続が外れることもアンテナ１６が脱落することも防止できる。
【００４９】
以上説明したように、本発明の第１実施形態によれば、アンテナ本体１６の回転方向の角度を調整して固定し、かつ、アンテナ本体１６の角度をアンテナ本体１６の回転方向および折り曲げ方向共に一定範囲内に保持することが可能となる。
【００５０】
図６は第１実施形態の効果を示す模式図である。同図に示すように、アンテナ１６の角度を一定に保つことで（同図の左側の図参照）、アンテナ本体１６が傾いた場合（同図の右側の図参照）においても、送受信面に対するアンテナ本体１６の放射特性を最大かつ一定に保つことができ、送受信先と安定した通信を行うことが可能となる。また、これにより、角度調整の自由度がある汎用アンテナで、角度が可変できない垂直固定型アンテナの代替もできるようになるため、選択できるアンテナの種類が増え、フレキシブルな装置設計を実現することが可能となる。
【００５１】
また、本発明により、アンテナ本体１６の脱落を防止することが可能となる。ネジ固定のアンテナの場合は、振動によるネジの緩み、爪固定のアンテナの場合は、外力による爪外れの危険性があるが、本発明の固定部品（筒状部）２１により、物理的にアンテナ１６は抜け方向に移動できなくなるため、ネジの緩みあるいは爪２２外れにより、アンテナ１６が脱落することがなくなる。
【００５２】
また、これにより関連技術では振動が加わるような設置場所には、ネジの緩みの危険性があるため不向きとされていたＳＭＡ型のアンテナ等も問題なく使用できることとなり、使用できるアンテナの種類が増え、フレキシブルな装置設計の実現が可能となる。
【００５３】
次に、本発明の第２実施形態について説明する。装置サイズや筐体形状の制約等により、前述の第１実施形態のようにアンテナの下側で筐体の固定穴を設けられない場合がある。その場合の応用例について第２実施形態で説明する。
【００５４】
基本構成は前述の第１実施形態と同様であるが、固定部品（筒状部）２１´は上部筐体１９´の側面の切り欠き部（穴部）２４´と引っ掛けて固定する。
【００５５】
図７は本発明に係るアンテナ角度可変保持構造の第２実施形態の組み立て図である。同図を参照すると、本発明に係るアンテナ保持構造は、アンテナコネクタ１２´と、取り付け金具１３´と、ワッシャー１４´と、ナット１５´と、アンテナ本体１６´と、ナット部１７´と、下部筐体１８´と、上部筐体１９´と、固定部品（筒状部）２１´と、爪２２´と、リブ２３´と、切り欠き部（穴部）２４´とを含んで構成される。また、爪２２´とリブ２３´とで爪部３１´が構成される。このとき、上部筐体１９´の側面に設けた切り欠き部（穴部）２４´は多角形の穴形状とする。
【００５６】
図８は本発明に係るアンテナ角度可変保持構造の第２実施形態の完成図である。同図（Ａ）は同アンテナ保持構造の斜視図、同図（Ｂ）は爪部３１´と切り欠き部（穴部）２４´付近の断面図である。
【００５７】
同図（Ａ）を参照すると、アンテナ本体１６´が固定部品（筒状部）２１´を用いて上部筐体１９´の切り欠き部（穴部）２４´に固定される様子を示している。また、同図（Ｂ）を参照すると、固定部品（筒状部）２１´の爪２２´と、リブ２３´との間の壁２５を多角形の一面とその隣り合う面の三面と形状を合わせておくことで、多角形の面の数の範囲内でアンテナ搭載角度を選択して固定することが可能となる。
【００５８】
以上説明したように、本発明の第２実施形態によれば、アンテナの下側で筐体の固定穴を設けられない場合でも、前述の第１実施形態と同様の効果を得ることが可能となる。
【００５９】
また、ＳＭＡ型以外のＬ字状に角度が固定されたアングルタイプあるいは折り曲げができる可倒タイプのアンテナにおいても、前述の第１あるいは第２実施形態と同様な構成にて本発明を適用することができ、これによりアンテナを任意の角度に固定でき、また一定の角度範囲内で保持することができ、さらにアンテナの脱落を防止することができる。
【産業上の利用可能性】
【００６０】
本発明を無線通信装置（通信端末および基地局等）に適用することが可能である。
【符号の説明】
【００６１】
１２、１２´  アンテナコネクタ
１３、１３´  取り付け金具
１４、１４´  ワッシャー
１５、１５´  ナット
１６、１６´  アンテナ本体
１７、１７´  ナット部
１８、１８´  下部筐体
１９、１９´  上部筐体
２０  軸
２１、２１´  固定部品（筒状部）
２２、２２´  爪
２３、２３´  リブ
２４  引掛け部
２４´  切り欠き部（穴部）
１０１  アンテナ
１０２  筒状部（固定部品）
１０３  筐体
１０４  爪部（引掛け固定構造）
１０６  腕部
【図１】
2012060337.tif 000003
【図２】
2012060337.tif 000004
【図３】
2012060337.tif 000005
【図４】
2012060337.tif 000006
【図５】
2012060337.tif 000007
【図６】
2012060337.tif 000008
【図７】
2012060337.tif 000009
【図８】
2012060337.tif 000010
【図９】
2012060337.tif 000011
【図１０】
2012060337.tif 000012
【図１１】
2012060337.tif 000013